(57)【要約】【課題】無端ベルトに張力を付与するローラーに汚れやゴミが付着することを抑えることができる遊技球移送装置を提供する。【解決手段】縦長な筐体１６に設けられ、上下に配置された上端ローラーと下端ローラー１７との間に掛け渡された無端ベルト２０と、該無端ベルト２０の外面から離隔した位置に無端ベルト２０の上昇方向に沿って延在する挟持部材と、を備え、筐体１６の下部に開口した球入口２３から導入した遊技球を無端ベルト２０の外面と挟持部材とで挟持しながら移送する遊技球揚送装置７において、無端ベルト２０の外面に当接し、無端ベルト２０の回動に伴って回動する当接ローラー８８を備え、該当接ローラー８８の所定箇所に、導電性を有する導電材９２を備えた。【選択図】図１８
2014204886.tif 000002
【特許請求の範囲】
【請求項１】
縦長な筐体に設けられ、上下に配置された上端ローラーと下端ローラーとの間に掛け渡された無端ベルトと、
該無端ベルトの外面から離隔した位置に前記無端ベルトの上昇方向に沿って延在する挟持部材と、を備え、
前記筐体の下部に開口した球入口から導入した遊技球を前記無端ベルトの外面と前記挟持部材とで挟持しながら移送する遊技球移送装置において、
前記無端ベルトの外面に当接し、前記無端ベルトの回動に伴って回動する当接ローラーを備え、該当接ローラーの所定箇所に、導電性を有する導電材を備えたことを特徴とする遊技球移送装置。
【請求項２】
前記当接ローラーの回動軸に取り付けられ、当該当接ローラーを回動させるための導電性のベアリング部を備え、
前記導電材は、前記当接ローラーの外周面から前記ベアリング部に接触可能な箇所に亘って設けられることを特徴とする請求項１に記載の遊技球移送装置。
【請求項３】
前記当接ローラーの端部には、当該当接ローラーの外周よりも拡径した鍔部を備え、該鍔部に前記導電材を備えたことを特徴とする請求項１または請求項２に記載の遊技球移送装置。
【請求項４】
前記球入口には、遊技球を複数条に整列させる球導入ガイドを設け、
前記挟持部材には、遊技球が前記球導入ガイドによって複数条に整列した状態で嵌合可能な複数条の球ガイド溝を前記無端ベルトの移動方向に沿って延設し、
前記無端ベルトの外面のうち前記球ガイド溝に対向し得る領域を球挟持領域とし、
前記導電材は、前記当接ローラーの外周面のうち、前記球挟持領域に対向して備えられたことを特徴とする請求項１に記載の遊技球移送装置。
【発明の詳細な説明】
【技術分野】
【０００１】
本発明は、無端ベルトと挟持部材との間に遊技球を挟持し、この状態で無端ベルトを移動して遊技球を移送可能な遊技球移送装置に関する。
【背景技術】
【０００２】
従来の遊技機設置用島設備では、内部に遊技球移送装置を備え、遊技球移送装置により遊技球をパチンコ遊技機よりも上方へ移送（揚送）してからパチンコ遊技機に供給している。遊技球移送装置は、無端ベルトの外面と挟持部材の間に遊技球を挟持し、この状態で無端ベルトを移動して遊技球を移送できるように構成されている。また、無端ベルトの外面（表面）にローラー（当接ローラー）を当接して無端ベルトに張力を付与し、遊技球を安定した状態で挟持できるように構成されている（例えば、特許文献１）。
【先行技術文献】
【特許文献】
【０００３】
【特許文献１】特開平１１−１６９５４９号公報
【発明の概要】
【発明が解決しようとする課題】
【０００４】
ところで、上記特許文献１に記載の遊技球移送装置では、当接ローラーが樹脂で形成されており、無端ベルトの外面と接触することで静電気が発生し、汚れやゴミが付着し易い。当接ローラーに汚れやごみが付着すると、無端ベルトの動きが悪くなったり蛇行したりして、ベルトやその他部品の損傷や摩耗が発生してしまう。
【０００５】
そこで、本発明は、上記の事情に鑑みてなされたものであり、その目的は、無端ベルトに張力を付与するローラーに汚れやゴミが付着することを抑えることができる遊技球移送装置を提供しようとするものである。
【課題を解決するための手段】
【０００６】
本発明は、上記目的を達成するために提案されたものであり、請求項１に記載のものは、縦長な筐体に設けられ、上下に配置された上端ローラーと下端ローラーとの間に掛け渡された無端ベルトと、
該無端ベルトの外面から離隔した位置に前記無端ベルトの上昇方向に沿って延在する挟持部材と、を備え、
前記筐体の下部に開口した球入口から導入した遊技球を前記無端ベルトの外面と前記挟持部材とで挟持しながら移送する遊技球移送装置において、
前記無端ベルトの外面に当接し、前記無端ベルトの回動に伴って回動する当接ローラーを備え、該当接ローラーの所定箇所に、導電性を有する導電材を備えたことを特徴とする遊技球移送装置である。
【０００７】
請求項２に記載のものは、前記当接ローラーの回動軸に取り付けられ、当該当接ローラーを回動させるための導電性のベアリング部を備え、
前記導電材は、前記当接ローラーの外周面から前記ベアリング部に接触可能な箇所に亘って設けられることを特徴とする請求項１に記載の遊技球移送装置である。
【０００８】
請求項３に記載のものは、前記当接ローラーの端部には、当該当接ローラーの外周よりも拡径した鍔部を備え、該鍔部に前記導電材を備えたことを特徴とする請求項１または請求項２に記載の遊技球移送装置である。
【０００９】
請求項４に記載のものは、前記球入口には、遊技球を複数条に整列させる球導入ガイドを設け、
前記挟持部材には、遊技球が前記球導入ガイドによって複数条に整列した状態で嵌合可能な複数条の球ガイド溝を前記無端ベルトの移動方向に沿って延設し、
前記無端ベルトの外面のうち前記球ガイド溝に対向し得る領域を球挟持領域とし、
前記導電材は、前記当接ローラーの外周面のうち、前記球挟持領域に対向して備えられたことを特徴とする請求項１に記載の遊技球移送装置である。
【発明の効果】
【００１０】
本発明によれば、無端ベルトに張力を付与するローラーに汚れやゴミが付着することを抑えることができる遊技球移送装置を実現することができる。
【図面の簡単な説明】
【００１１】
【図１】遊技機設置用島設備の概略図である。
【図２】遊技球揚送装置の斜視図である。
【図３】無端ベルトの長手方向に沿って切断した遊技球揚送装置の断面図である。
【図４】遊技球揚送装置の要部を示す斜視図である。
【図５】球導入ガイドの斜視図である。
【図６】球導入ガイドの平面図である。
【図７】球導入ガイドから緩衝部材を取り外した状態の斜視図である。
【図８】遊技球整列ガイド部材の分解斜視図である。
【図９】遊技球整列ガイド部材の断面図である。
【図１０】整列ベース部材の分解図である。
【図１１】遊技球整列ガイド部材の組み立て作業の説明図であり、（ａ）は流路付勢部材を収納したベース構成部材を流路形成部材に組み付ける説明図、（ｂ）はベース開口部に流路形成延設部を嵌合する説明図である。
【図１２】挟持部材を含む遊技球揚送装置の断面図である。
【図１３】挟持部材の分解斜視図である。
【図１４】研磨布の端部のクランプ状態を説明する斜視図である。
【図１５】クランプの説明図であり、（ａ）は分解斜視図、（ｂ）は開放状態の斜視図である。
【図１６】研磨布の張設状態の説明図であり、（ａ）は一面研磨状態の説明図、（ｂ）は他面研磨状態の説明図である。
【図１７】挟持部材と無端ベルトとの間に遊技球を挟持した状態の説明図であり、（ａ）は研磨布が一面研磨状態で張設された場合の説明図、（ｂ）は研磨布が他面研磨状態で張設された場合の説明図である。
【図１８】張力付与機構の斜視図である。
【図１９】張力付与機構の当接ローラーの説明図である。
【図２０】挟持部材のガイドベースの配置の変形例の説明図である。
【図２１】ローラー本体の外周面および側面を導電材で被覆した当接ローラーの第１変形例の説明図である。
【図２２】導電材で被覆した鍔部を設けた当接ローラーの第２変形例の説明図である。
【図２３】第２変形例における当接ローラーの鍔部と無端ベルトの位置関係を示す説明図であり、（ａ）は鍔部と無端ベルトとを接触させる状態の説明図、（ｂ）は鍔部と無端ベルトとを離した状態の説明図である。
【図２４】導電材を無端帯状に備えた当接ローラーの第３変形例の説明図である。
【図２５】導電材が備えられていない箇所を縮径した当接ローラーの第４変形例の説明図であり、（ａ）は斜視図、（ｂ）は正面図である。
【図２６】流路形成部材を遊嵌する遊技球整列ガイド部材の第１変形例の説明図であり、（ａ）は正面図、（ｂ）は（ａ）のＡ−Ａ線断面図、（ｃ）は（ａ）のＢ−Ｂ線断面図、（ｄ）は遊嵌受部および遊嵌突起の説明図である。
【図２７】流路形成部材を遊嵌する遊技球整列ガイド部材の第２変形例の説明図である。
【図２８】流路形成部材を遊嵌する遊技球整列ガイド部材の第３変形例の説明図である。
【図２９】流路形成部材を遊嵌する遊技球整列ガイド部材の第４変形例の説明図である。
【図３０】遊技球整列ガイド部材の第２実施形態における整列ベース部材の説明図であり、（ａ）は分解斜視図、（ｂ）は流路付勢部材の収納状態を示す説明図である。
【図３１】遊技球整列ガイド部材の第２実施形態における端部構成部材の移動の説明図であり、（ａ）は無端ベルトから遠ざけた状態の説明図、（ｂ）は無端ベルトに近づけた状態の説明図、（ｃ）は（ｂ）のＣ−Ｃ線断面図である。
【図３２】遊技球整列ガイド部材の第２実施形態における端部構成部材の位置調整の概略図であり、（ａ）は調整前の状態の概略図、（ｂ）は両側の端部構成部材の位置を調整した状態の概略図、（ｃ）は一側の端部構成部材の位置を調整した状態の概略図である。
【図３３】遊技球整列ガイド部材の第２実施形態の第１変形例における整列ベース部材の説明図である。
【図３４】遊技球整列ガイド部材の第２実施形態の第１変形例における端部構成部材の位置調整の概略図であり、（ａ）は調整前の状態の概略図、（ｂ）は両側の端部構成部材の位置を調整した状態の概略図、（ｃ）は一側の端部構成部材の位置を調整した状態の概略図である。
【図３５】遊技球整列ガイド部材の第２実施形態の第２変形例における整列ベース部材の説明図である。
【図３６】遊技球整列ガイド部材の第２実施形態の第２変形例におけるベース構成部材の位置調整の概略図であり、（ａ）は調整前の状態の概略図、（ｂ）は中央構成部材および接続構成部材の位置を調整した状態の概略図である。
【図３７】遊技球整列ガイド部材の第２実施形態の第３変形例における整列ベース部材の説明図である。
【図３８】遊技球整列ガイド部材の第２実施形態の第４変形例における整列ベース部材の説明図であり、（ａ）は分解斜視図、（ｂ）は付勢力調整部材の説明図である。
【図３９】遊技球整列ガイド部材の第２実施形態の第４変形例における流路付勢部材の付勢力調整の概略図であり、（ａ）は調整前の状態の概略図、（ｂ）は付勢力調整部材を操作して流路形成部材の位置を調整した状態の概略図である。
【図４０】遊技球整列ガイド部材の第２実施形態の第５変形例における流路付勢部材の付勢力調整の概略図であり、（ａ）は調整前の状態の概略図、（ｂ）は付勢力調整部材を操作して流路形成部材の位置を調整した状態の概略図である。
【図４１】緩衝部材の上面を湾曲面で構成した球導入ガイドの第１変形例の説明図であり、（ａ）は斜視図、（ｂ）は断面図である。
【図４２】緩衝部材の上面を湾曲面で構成した球導入ガイドの第２変形例の断面図である。
【図４３】内部に受入部および流下部を備えた球導入ガイドの第２実施形態の説明図であり、（ａ）は平面図、（ｂ）は断面図である。
【図４４】底部にスリットを開設して球緩衝部を形成した球導入ガイドの第３実施形態の説明図であり、（ａ）は斜視図、（ｂ）は断面図である。
【図４５】スリットに緩衝材を嵌合した球導入ガイドの第３実施形態の変形例であり、（ａ）は側面図、（ｂ）は（ａ）のＤ−Ｄ線断面図である。
【図４６】球整列壁の上流側端部を先細り形状にした球導入ガイドの説明図であり、（ａ）は球導入ガイドの上流側から見た断面図、（ｂ）は平面図、（ｃ）は先細り形状の変形例を示す平面図である。
【図４７】透光性の遊技球整列ガイド部材を装着する遊技球揚送装置の説明図であり、（ａ）は装着前および装着後の斜視図、（ｂ）は無端ベルトのひび割れが視認可能となる状態の正面図、（ｃ）は無端ベルトの汚れが視認可能となる状態の正面図である。
【発明を実施するための形態】
【００１２】
以下、本発明を実施するための形態を図面に基づいて説明する。図１は遊技機設置用島設備の概略構成図である。
遊技機設置用島設備１は、図１に示すように、梁や柱等の複数の構成部材を連結して長尺な箱型の島本体２を備え、該島本体２の長手方向の一側面および他側面には、遊技球を使用して遊技を実行可能なパチンコ遊技機３と、該パチンコ遊技機３に対として設けられる台間球貸機４とを複数組並設している。また、島本体２の下部には球貯留タンク６を備え、島本体２の長手方向（図１中、左右方向）の中央部分には、遊技球を研磨しながら揚送可能な遊技球揚送装置７（本発明における遊技球移送装置に相当）を配置し、パチンコ遊技機３から排出された使用済みの遊技球や、球貯留タンク６内に貯留された遊技球を遊技球揚送装置７により島本体２の上部へ揚送（移送）できるように構成されている。
【００１３】
さらに、島本体２の上部のうち遊技球揚送装置７の側方には、遊技球揚送装置７により揚送された遊技球を貯留する上部タンク８を設け、該上部タンク８の下部には、球補給樋１０および貯留用球供給流路１１を島本体２の中央側（上部タンク８側）から長手方向の各端部（左右各端部）へ向けてそれぞれ僅かに下り傾斜した状態で架設し、上部タンク８内の遊技球を球補給樋１０および貯留用球供給流路１１へ流下できるように構成されている。また、球補給樋１０から複数の枝樋１２を下方のパチンコ遊技機３側へ向けて分岐し、各枝樋１２の下端（出口）を各パチンコ遊技機３の球タンク（図示せず）に上方から臨ませ、球補給樋１０内を流下する遊技球を枝樋１２へ通して球タンクに補給可能としている。そして、貯留用球供給流路１１の傾斜下端を下方へ垂下して球貯留タンク６へ接続し、上部タンク８から球補給樋１０へ流下せずに貯留用球供給流路１１へ流下した遊技球を球貯留タンク６へ排出して貯留するように構成されている。
【００１４】
次に、遊技球揚送装置７について説明する。
遊技球揚送装置７は、図２から図４に示すように、平板状の揚送装置ベース１５の上面に縦長な筐体１６を備え、該筐体１６の下部に下端ローラー（主動ローラー）１７を回動軸が筐体１６の長手方向（上下方向）とは直交する横向き状態で配置し、筐体１６の上部には上端ローラー（従動ローラー）１８を回動軸が下端ローラー１７の回動軸に平行となる横向き状態で配置し、下端ローラー１７の回動軸には駆動機構（回動モーター）１９を接続している。また、下端ローラー１７と上端ローラー１８との間には、無端ベルト２０を掛け渡し、無端ベルト２０のうち遊技球が移送される球移送方向（図３中、矢印Ｕで示す上方向）に沿って移動する上昇部２０ａを筐体１６内に収容するとともに、遊技球から離れて上昇部２０ａの移動方向とは反対方向（図３中、矢印Ｄで示す下方向）に沿って移動する下降部２０ｂを筐体１６の外部に配置している。さらに、筐体１６の下部のうち下端ローラー１７よりも上方の位置には、無端ベルト２０の下降部２０ｂの下側（下端ローラー１７側）に当接する張力付与機構２２を設け、該張力付与機構２２により無端ベルト２０に張力を付与している。また、筐体１６の下部のうち張力付与機構２２の下方には球入口２３を開口し、該球入口２３には、遊技球を複数条（本実施形態では７条）に整列させて遊技球揚送装置７内へ導入する球導入ガイド２４を下端ローラー１７の下方へ向けて下り傾斜する状態で設けている。そして、筐体１６の上端には、揚送した遊技球を排出する球排出口２５を開口している。
【００１５】
また、無端ベルト２０の上昇部２０ａの外方には、遊技球を無端ベルト２０の外面との間に挟持するための構成を備えている。具体的に説明すると、図３に示すように、下端ローラー１７に巻回されている無端ベルト２０の上昇部２０ａの外方には、下端ローラー１７の円筒面に沿って湾曲した遊技球整列ガイド部材（ロアアール）２８を備え、下端ローラー１７と上端ローラー１８との間に位置する無端ベルト２０の上昇部２０ａの外方には、上昇部２０ａの移動方向に沿って延在する縦長な挟持部材２９（本実施形態では、上下に並べられた２つの挟持部材２９）を備え、上端ローラー１８に巻回されている無端ベルト２０の上昇部２０ａの外方には、上端ローラー１８の円筒面に沿って湾曲した上端側カバー（アッパーアール）３０を備えている。また、挟持部材２９を筐体１６の側部に軸着して筐体１６を開閉可能とし、挟持部材２９を開放すると無端ベルト２０の上昇部２０ａが外方へ露出するように構成されている（図４参照）。さらに、無端ベルト２０の上昇部２０ａを挟んで挟持部材２９とは反対側には複数の揚送ローラー３１を配置し、該揚送ローラー３１に無端ベルト２０の上昇部２０ａの内面を当接して、無端ベルト２０の上昇部２０ａが筐体１６の内側へ大きく撓むことを阻止している（図３参照）。
【００１６】
次に、球導入ガイド２４、遊技球整列ガイド部材２８、挟持部材２９、張力付与機構２２について説明する。
球導入ガイド２４は、図５に示すように、遊技球揚送装置７の外方から球入口２３に向かって下り傾斜した樋状の部材であり、当該球導入ガイド２４の傾斜下端を球入口２３へ接続し、球導入ガイド２４の上部開放部分のうち球入口２３側には透明なカバー部材３２を装着している。また、当該球導入ガイド２４の傾斜方向の中間部分を揚送装置ベース１５から立設されたガイド部材ブラケット３４へ回動可能な状態で軸着するとともに、軸着部よりも球入口２３側をガイド付勢部材３５により上方へ常時付勢して、球導入ガイド２４内の遊技球の量に応じて球導入ガイド２４の姿勢が変化するように構成されている。具体的には、球導入ガイド２４内の遊技球の量が少ない場合には、ガイド付勢部材３５の付勢力により球導入ガイド２４の傾斜下部を上方へ移動し、球導入ガイド２４内の遊技球の量が多い場合には、遊技球の自重により球導入ガイド２４の傾斜下部をガイド付勢部材３５の付勢力に抗して下方へ移動するように構成されている。なお、球導入ガイド２４の傾斜下部には、揚送装置ベース１５に当接可能な揺動ストッパー３６を突設し、該揺動ストッパー３６が揚送装置ベース１５に当接して球導入ガイド２４の傾斜下部の下降し過ぎることを規制している。
【００１７】
また、球導入ガイド２４の底部２４ａのうち傾斜方向の中央部分から傾斜下端に亘る箇所には、傾斜上端側から傾斜下端側に向かって高さが次第に増加する球整列壁３８を複数枚平行に立設して導入球整列路３９を区画形成し、球導入ガイド２４内を流下する遊技球が導入球整列路３９を通って複数条（本実施形態では７条）に整列するように構成されている（図６参照）。
【００１８】
そして、球導入ガイド２４の上部開放部分のうちカバー部材３２よりも傾斜上端側の上方には、球貯留タンク６側から延設された流入樋４１の出口を臨ませ（図５参照）、球貯留タンク６から排出された遊技球が流入樋４１を通って球導入ガイド２４内に流入するように構成されている。ここで、従来の遊技球揚送装置では、遊技球が流入樋から球導入ガイド内に落下する際、流入樋と球導入ガイドの底部との間に所定の高低差があるため、大量の遊技球が球導入ガイドの底部に勢いよく衝突して衝突音が発生してしまう。そして、この衝突音が非常に大きく、遊技者に不快な思いをさせることが多々ある。そこで、本実施形態の球導入ガイド２４においては、底部２４ａにゴムやウレタン等で構成された緩衝部材４３（本発明における緩衝手段に相当）を上下から挟み込む状態で装着し、該緩衝部材４３により球導入ガイド２４の底部２４ａの傾斜上端側を全幅に亘って被覆している。また、緩衝部材４３のうち球導入ガイド２４の底部２４ａの下面に当接する箇所には、スポンジ等で構成された吸音材４４を備えている（図７参照）。このような構成の緩衝部材４３を球導入ガイド２４に装着したことにより、流入樋４１から流れてきた大量の遊技球が球導入ガイド２４内に勢いよく流入したとしても、遊技球が球導入ガイド２４内の緩衝部材４３上に落下するため、球導入ガイド２４の底部２４ａが遊技球から受ける衝撃を緩和すること、ひいては、遊技球の衝突音を緩和することができる。したがって、遊技球の流入時に遊技球揚送装置７から騒音が発生することを抑制することができる。また、大量の遊技球の衝突により球導入ガイド２４の底部２４ａが損傷し易くなる不都合を抑えることができる。
【００１９】
遊技球整列ガイド部材２８は、図３，図８から図１１に示すように、誘導溝部４６が形成された流路形成部材４７と、無端ベルト２０側を向く取付面４８ａに流路形成部材４７が取り付けられる整列ベース部材４８と、該整列ベース部材４８と流路形成部材４７との間に配置され、整列ベース部材４８に取り付けられた状態の流路形成部材４７を無端ベルト２０側へ付勢するコイルばね等の流路付勢部材４９とを備えて構成されている。
【００２０】
流路形成部材４７は、図８および図９に示すように、下端ローラー１７の外周面（詳しくは下端ローラー１７に巻回された無端ベルト２０）に沿って湾曲した円弧板状の部材であり、無端ベルト２０側を向いた表面には複数条（本実施形態では７条）の誘導溝部４６を球移送方向（言い換えると下端ローラー１７の回転方向）に沿って形成し、遊技球整列ガイド部材２８と無端ベルト２０との間に挟持する遊技球を誘導溝部４６に嵌合して整列可能としている。また、誘導溝部４６の上流開口を球導入ガイド２４の導入球整列路３９へ連通し、球導入ガイド２４内で整列された遊技球を誘導溝部４６に受け入れて整列状態を維持し、この整列状態で無端ベルト２０の外面と流路形成部材４７との間に挟持しながら移送して挟持部材２９へ誘導するように構成されている。さらに、流路形成部材４７の整列ベース部材４８側には、整列ベース部材４８に遊嵌させる複数の流路形成延設部５１を整列ベース部材４８側に向かって延設し、各流路形成延設部５１の先端には延設ストッパー部５２を流路形成延設部５１の延在方向とは直交する方向へ突設し、該延設ストッパー部５２を整列ベース部材４８に係合可能としている。
【００２１】
整列ベース部材４８は、流路形成部材４７を遊嵌状態で装着する円弧板状の部材であり、図８および図１０に示すように、湾曲した複数（本実施形態では６つ）のベース構成部材５４を無端ベルト２０の幅方向に並べて組み付けることにより、下端ローラー１７の外周面（詳しくは下端ローラー１７に巻回された無端ベルト２０）に沿って湾曲した形状に構成されている。なお、各ベース構成部材５４には、無端ベルト２０の幅方向に沿って貫通する係止穴５６をそれぞれ開設し、各ベース構成部材５４を並べて連通した各係止穴５６にベース係止具５７（係止ボルト５７ａ，係止ナット５７ｂ）を挿通している。また、該整列ベース部材４８のうち円弧方向（言い換えると、球移送方向）の左右両側縁を構成するベース構成部材５４を端部構成部材５４ａとし、各端部構成部材５４ａには、下端ローラー１７の外周面に沿って湾曲した起立壁状の整列ベース側壁５９を無端ベルト２０側へ突設し、整列ベース側壁５９の間に流路形成部材４７を収容可能としている（図９参照）。
【００２２】
さらに、整列ベース部材４８のうち隣り合うベース構成部材５４の境界部分には、整列ベース部材４８の板厚方向に貫通するベース開口部６１と、流路付勢部材４９を収納可能な付勢収納凹部６２とを形成し、ベース開口部６１内に流路形成延設部５１を遊嵌状態で挿通可能としている。また、ベース開口部６１を延設ストッパー部５２が挿通不能となる大きさであり、且つ流路形成延設部５１よりも短い寸法に設定している。なお、ベース開口部６１は、各端部構成部材５４ａの側縁部、および整列ベース部材４８の中央部分に位置する２つのベース構成部材５４（中央構成部材５４ｂ）の側縁部を切り欠いてそれぞれ開設されている。また、付勢収納凹部６２は、隣り合うベース構成部材５４のうち一側に位置するベース構成部材５４の他側縁（図１０中、隣り合うベース構成部材５４のうち左側に位置するベース構成部材５４の右側縁）を凹ませて形成されている。
【００２３】
このような構成の遊技球整列ガイド部材２８を組み立てるには、まず、分離状態のベース構成部材５４の各付勢収納凹部６２に流路付勢部材４９を収納する（図１１（ａ）参照）。そして、ベース開口部６１に流路形成延設部５１を挿通した状態で複数のベース構成部材５４を組み合わせることで、流路形成部材４７を遊嵌状態で整列ベース部材４８へ取り付ける。具体的には、ベース開口部６１が開設されたベース構成部材５４（端部構成部材５４ａおよび中央構成部材５４ｂ）を流路形成部材４７へ当接し、ベース開口部６１に流路形成延設部５１を嵌合する（図１１（ｂ）参照）。さらに、端部構成部材５４ａと中央構成部材５４ｂの間に残りのベース構成部材５４（接続構成部材５４ｃ）を嵌め込み、係止穴５６にベース係止具５７を挿通して各ベース構成部材５４を係止する。なお、遊技球整列ガイド部材２８の組み立て時には、流路形成部材４７を誘導溝部４６が上下に並ぶ姿勢で起立させ、ベース構成部材５４を横向きにして付勢収納凹部６２が形成された縁部を上に向けた姿勢とし、この状態でベース構成部材５４を流路形成部材４７へ組み付ければ、組み立て時に流路付勢部材４９が付勢収納凹部６２から脱落し難くなるので好適である。
【００２４】
このようにして組み立てられた遊技球整列ガイド部材２８では、図９に示すように、流路形成延設部５１をベース開口部６１内に遊嵌していることにより、整列ベース側壁５９の間に位置する流路形成部材４７を無端ベルト２０に対して進退可能としている。また、延設ストッパー部５２がベース開口部６１の開口縁に係合することにより、流路形成部材４７が無端ベルト２０側へ近づき過ぎること、さらには流路形成部材４７が整列ベース部材４８から脱落することを阻止可能としている。
【００２５】
挟持部材２９は、図２〜図４および図１２に示すように、筐体１６の蓋としても機能する縦長短冊状の挟持ベース６６を無端ベルト２０の上昇部２０ａに沿って延在する状態（言い換えると、球移送方向に沿って延在する状態）で備え、無端ベルト２０のベルト幅の中心（ベルト中心）ＢＣと、挟持ベース６６の幅方向の中心とが揃う状態（詳しくは、無端ベルト２０の外面と直交する平面上に位置して揃う状態）に配置されている。また、該挟持ベース６６の左右両側縁（言い換えると、球移送方向の両側に位置する箇所）からベース側縁部６８を無端ベルト２０側へ向けて延設し、左右のベース側縁部６８には溝状のガイド保持部６９を挟持ベース６６の延在方向に沿って備え、該ガイド保持部６９にガイドベース７０の側縁を嵌合して、左右のベース側縁部６８の間にガイドベース７０を装着している。さらに、ガイドベース７０と挟持ベース６６との間には、ガイドベース７０を無端ベルト２０側へ付勢する挟持付勢部材７１と、ガイドベース７０が遊技球の移送方向へずれることを防止するガイドストッパー７２（図１３参照）とを備えている。
【００２６】
また、ガイドベース７０のうち無端ベルト２０に対向する対向面には、遊技球が嵌合可能な複数条（本実施形態では７条）の球ガイド溝７５を球移送方向に沿って延設し、複数条の球ガイド溝７５がベルト中心ＢＣに対して左右対称となる状態で並んで配置されるように、ガイドベース７０を挟持ベース６６へ装着している。そして、筐体１６の上下に並ぶ挟持部材２９の球ガイド溝７５同士を連通するとともに、下側の挟持部材２９の球ガイド溝７５と誘導溝部４６とを連通し、遊技球が誘導溝部４６によって複数条に整列した状態で球ガイド溝７５に進入して嵌合され、誘導溝部４６により整列状態を維持したまま揚送可能としている。
【００２７】
そして、挟持ベース６６には、表裏両面に研磨面８０ａ，８０ｂがそれぞれ形成された長尺な研磨布８０（本発明における研磨部材に相当）を球移送方向に沿って張設し、該研磨布８０によりガイドベース７０の球ガイド溝７５を無端ベルト２０側から被覆するように構成されている。具体的に説明すると、図１４に示すように、挟持ベース６６の外面（挟持部材２９を挟んで無端ベルト２０とは反対側に位置する面）の上下両側には、研磨布８０の長尺方向の端部を挟むクランプ８１をそれぞれ備え、球ガイド溝７５を被覆する研磨布８０の端部を挟持ベース６６の端部で折り返し、この折り返された端部をクランプ８１で挟んで、研磨布８０がガイドベース７０に対して球移送方向へずれることを阻止している。なお、クランプ８１は、図１５（ａ）に示すように、ガイドベース７０に止着される断面略コ字状の布受部８１ａと、布受部８１ａの一端に軸着されて布受部８１ａと噛み合う断面略コ字状の布押さえ部８１ｂと、布受部８１ａの他端に軸着されて布押さえ部８１ｂを噛み合い状態で止める止め具８１ｃとを備えて構成されている。そして、布押さえ部８１ｂと布受部８１ａとの間に研磨布８０を挟み、止め具８１ｃで布押さえ部８１ｂを布受部８１ａに係止してクランプ状態となり、止め具８１ｃによる係止を解除し、布押さえ部８１ｂを布受部８１ａから離れる方向に開いて開放状態となる（図１５（ｂ）参照）。
【００２８】
また、図１２および図１６に示すように、挟持ベース６６の各ベース側縁部６８には、本発明における研磨位置設定手段として機能する研磨縁挿入溝部８４を球移送方向に沿って延在する状態で備えている。そして、該研磨縁挿入溝部８４に研磨布８０の側縁部を挿入し、研磨布８０の側縁と研磨縁挿入溝部８４の溝底面とが当接することにより、研磨布８０の幅方向（無端ベルト２０のベルト幅方向に沿った方向）の位置を規制するように構成されている。さらに、無端ベルト２０のベルト中心ＢＣ（言い換えると、複数条の球ガイド溝７５の並びの中心）から一側（図１６（ａ）中、左側）の研磨縁挿入溝部８４の溝底面までの距離Ｌ１と、他側（図１６（ａ）中、右側）の研磨縁挿入溝部８４の溝底面までの距離Ｌ２とを互いに異ならせている。具体的には、距離Ｌ１を距離Ｌ２よりも短く設定している。
【００２９】
これらのような構成を備えた挟持部材２９においては、研磨布８０を一の研磨面８０ａが無端ベルト２０の外面に向く一面研磨状態で張設可能であり（図１６（ａ）参照）、さらには、一面研磨状態の研磨布８０を挟持部材２９から一旦外し、上下の位置は反転させずに左右の位置を反転させて研磨布８０を裏返し、他の研磨面８０ｂが無端ベルト２０の外面に向く他面研磨状態でも張設可能となる（図１６（ｂ）参照）。そして、図１７に示すように、いずれの研磨状態においても、挟持部材２９と無端ベルト２０との間に遊技球を挟持すると、遊技球が球ガイド溝７５との間に研磨布８０を挟んだ状態で球ガイド溝７５内に嵌合する。なお、一面研磨状態では、遊技球が一の研磨面８０ａのうち各球ガイド溝７５に沿って延在する複数条の一面球当接領域ｐ１にそれぞれ当接し（図１７（ａ）参照）、他面研磨状態では、遊技球が他の研磨面８０ｂのうち各球ガイド溝７５に沿って延在する複数条の他面球当接領域ｐ２にそれぞれ当接するように構成されている（図１７（ｂ）参照）。
【００３０】
張力付与機構２２は、図３，図１８，図１９に示すように、押圧ローラー８７と、該押圧ローラー８７の上下に設けられた当接ローラー８８とを備えて構成されており、押圧ローラー８７および当接ローラー８８を無端ベルト２０の回動に伴って回動可能としている。また、上下両側の当接ローラー８８の外周面を無端ベルト２０の下降部２０ｂの外面に当接するとともに、押圧ローラー８７の外周面を無端ベルト２０の下降部２０ｂの内面に当接して無端ベルト２０の下降部２０ｂを無端ベルト２０の側方から見て「く」字状に屈曲させている。さらに、押圧ローラー８７により無端ベルト２０の内面を筐体１６から離間する方向へ押圧して、押圧ローラー８７と当接ローラー８８との間で無端ベルト２０に張力を付与するように構成されている。
【００３１】
無端ベルト２０の外面に当接する当接ローラー８８は、回動軸８９の両側部にベアリング部９０の内輪をそれぞれ嵌合し、各ベアリング部９０の外輪を円筒状のローラー本体９１にそれぞれ嵌合して構成されている。なお、回動軸８９およびベアリング部９０は、導電性を有する金属製であり、ローラー本体９１は合成樹脂製である。そして、ローラー本体９１の外周面にはクラウン加工を施して、ローラー本体９１の外周面のうち軸方向の中央部分の直径を他の部分の直径よりも太く成形している。さらには金属メッキ処理を施して、導電性を有する導電材（金属層）９２により外周面の全体を被覆するとともに、無端ベルト２０との間で摩擦が発生し難い滑らかな表面に仕上げている。
【００３２】
次に、遊技球揚送装置７の作用について説明する。
上記のような構成を備えた遊技球揚送装置７においては、流入樋４１から球導入ガイド２４に受け入れた遊技球を球導入ガイド２４内で整列させた後、駆動機構１９により下端ローラー１７を駆動して無端ベルト２０を回動（移動）すると、球入口２３に位置する遊技球は、無端ベルト２０により遊技球整列ガイド部材２８と無端ベルト２０との間に引き入れられて誘導溝部４６内に嵌合する。そして、遊技球整列ガイド部材２８と無端ベルト２０の上昇部２０ａの外面との間に挟持され、この状態で誘導溝部４６に沿って上方へ転がり、挟持部材２９側へ向けて移送（揚送）される。
【００３３】
ここで、従来の遊技球揚送装置の遊技球整列ガイドでは、可撓性を有する合成樹脂製の
流路形成部材の中央部分を流路付勢部材により無端ベルト側へ付勢し、流路形成部材の両側部を整列ベース部材に嵌合して移動できないようにしている。このため、流路形成部材が流路付勢部材の付勢力により撓んで中央部分が無端ベルト側へ膨出し、無端ベルトと誘導溝部との離間距離が無端ベルトの側縁に近づくにつれて広くなってしまう。この結果、無端ベルトの側縁近傍では、遊技球を十分に挟持できず、遊技球の移送に支障が生じてしまう。
【００３４】
しかしながら、本実施形態における遊技球整列ガイド部材２８では、流路形成部材４７が無端ベルト２０に対して進退可能となる状態で整列ベース部材４８に遊嵌されているので、流路形成部材４７と無端ベルト２０との離間距離が均一に揃い易くなり、流路形成部材４７と無端ベルト２０との間で遊技球を十分に挟持することができる。したがって、遊技球整列ガイド部材２８と無端ベルト２０との間に遊技球が移送されずに残ってしまう不都合を抑えることができる。また、延設ストッパー部５２とベース開口部６１の開口縁との係合により、流路形成部材４７の無端ベルト２０側への移動を規制可能としているので、流路形成部材４７と無端ベルト２０との間隔が狭くなりすぎる不都合、ひいては、遊技球が流路形成部材４７と無端ベルト２０との間に進入し難くなる不都合をなくすことができる。
【００３５】
引き続き無端ベルト２０を回動し続けると、遊技球整列ガイド部材２８と無端ベルト２０との間に挟持されていた遊技球は、誘導溝部４６の上端部から挟持部材２９と無端ベルト２０との間（詳しくは研磨布８０と無端ベルト２０の上昇部２０ａの外面との間）に引き入れられて球ガイド溝７５内に嵌合する。そして、挟持付勢部材７１の付勢力により挟持部材２９（研磨布８０）と無端ベルト２０の上昇部２０ａの外面との間に挟持され、この状態で球ガイド溝７５に沿って上方へ転がり、上端側カバー３０側へ向けて移送（揚送）される。このとき、図１７（ａ）に示すように、遊技球の表面が転がり動作により一面球研磨状態の研磨布８０の研磨面８０ａによって研磨されて表面の汚れが除去される。
【００３６】
さらに無端ベルト２０を回動し続けると、挟持部材２９と無端ベルト２０との間に挟持されていた遊技球は、球ガイド溝７５の上端部から上端側カバー３０と無端ベルト２０との間に進入する。そして、遊技球が揚送された勢いにより、または、後から揚送される遊技球に押されることにより、球排出口２５へ排出される。
【００３７】
遊技球を球排出口２５まで揚送した後も無端ベルト２０を回動し続けると、無端ベルト２０のうち遊技球を挟持していた部分（上昇部２０ａ）が上端ローラー１８を越えて下降部２０ｂとなり、下端ローラー１７に到達する前に張力付与機構２２を通る。ここで、従来の遊技球揚送装置においては、長期間に亘って大量の遊技球を揚送し続けると、研磨布で拭き取れ切れなかった遊技球の汚れやゴミが無端ベルトの外面に移って堆積し、さらには、無端ベルトの外面に当接する当接ローラーの外周面に付着してしまう。また、無端ベルトとの摩擦により当接ローラーの外周面に静電気が発生するため、この静電気により汚れやゴミが吸い寄せられてしまう。そして、当接ローラーの外周面に付着した汚れやゴミを放置した場合には、汚れの凹凸により当接ローラーが無端ベルトを押圧する力が均等にならず、この結果、無端ベルトが蛇行しながら移動してしまい、無端ベルトが損傷する虞がある。
【００３８】
しかしながら、本実施形態における張力付与機構２２では、当接ローラー８８の外周面に導電材９２を被覆して滑らかな表面に仕上げているので、無端ベルト２０と当接ローラー８８の外周面との間で摩擦による静電気が発生し難くなり、また、静電気が発生したとしても、導電材９２から放電することができる。したがって、当接ローラー８８の外周面に汚れやゴミが付着する不都合を抑えることができる。この結果、無端ベルト２０を蛇行し難くすること、ひいては無端ベルト２０を損傷し難くすることができる。
【００３９】
そして、長期間に亘って大量の遊技球を揚送すると、研磨布８０の一面球当接領域ｐ１に汚れやゴミが大量に付着する。このとき、従来の研磨布では、研磨面が片面のみに形成されているため、研磨面に汚れやゴミが大量に付着した場合には、直ちに新品の研磨布に交換する必要がある。なお、パチンコ遊技機の稼動率が高い遊技店では、遊技球揚送装置を常時稼動して遊技球を研磨しながら揚送し、また、遊技者が遊技球を素手で触る機会が多いため、研磨布の汚れの進行が早く、研磨布の交換頻度が多くなりがちである。この結果、遊技球揚送装置のランニングコストが高価になり易い。しかしながら、本実施形態の研磨布８０では研磨面を表裏両面に形成しているので、研磨布８０の一面球当接領域ｐ１に汚れやゴミが大量に付着して遊技球を十分に研磨できなくなった場合には、一面当接状態の研磨布８０を外し、裏返して他面当接状態で再張設する。ここで、研磨位置設定手段として機能する研磨縁挿入溝部８４において、無端ベルト２０のベルト中心ＢＣから一側の研磨縁挿入溝部８４の溝底面までの距離Ｌ１と、他側の研磨縁挿入溝部８４の溝底面までの距離Ｌ２とを互いに異ならせているので、図１７（ｂ）に示すように、裏返された研磨布８０の一面球当接領域ｐ１が球ガイド溝７５から無端ベルト２０の幅方向にずれて隣り合う球ガイド溝７５の間に当接する。このような他面当接状態で遊技球を揚送すると、一面球当接領域ｐ１と他面球当接領域ｐ２との相対位置が無端ベルト２０の幅方向に異なり、汚れやゴミが付着する場所が研磨布８０を裏返す前の付着場所からずれて設定される。このことから、研磨布８０を長期に亘って継続使用することができ、しかも、研磨布８０の表裏両面を使用したとしても、研磨布８０の一部が表裏両側から摩耗して薄くなってしまう不都合、言い換えると破け易くなってしまう不都合を避けることができる。したがって、遊技球揚送装置７のランニングコストの低減を図ることができる。
【００４０】
ところで、上記第１実施形態の挟持部材２９では、複数条の球ガイド溝７５がベルト中心ＢＣに対して左右対称となる状態で並んで配置されているが、本発明はこれに限定されない。例えば、図２０に示す挟持部材２９の変形例では、複数条の球ガイド溝７５がベルト中心ＢＣに対して左右非対称となる状態で並んで配置されている。具体的には、無端ベルト２０のベルト中心ＢＣから一側（図２０（ａ）中、左側）のガイド保持部６９までの距離Ｌ３と、他側（図２０（ａ）中、右側）のガイド保持部６９までの距離Ｌ４とを互いに異ならせることによりガイドベース７０を無端ベルト２０の幅方向へずらし、無端ベルト２０のベルト中心ＢＣに対して一側方（図２０（ａ）中、左側方）に位置する球ガイド溝７５の条数（４条）と、他側方（図２０（ａ）中、右側方）に位置する球ガイド溝７５の条数（３条）とを異ならせている。なお、本変形例では、無端ベルト２０のベルト中心ＢＣから両側の研磨縁挿入溝部８４の溝底面までの距離を等しく設定しているが、互いに異ならせてもよい。互いに異ならせる場合には、複数の球ガイド溝７５の列の中心と、研磨布８０の幅方向の中心とが無端ベルト２０の幅方向にずれるように設定する。
【００４１】
このような状態で挟持部材２９に装着されたガイドベース７０は、本発明における研磨位置設定手段として機能し、研磨布８０の一面球当接状態および他面球当接状態において遊技球を球ガイド溝７５に嵌合させて、図２０（ａ）および（ｂ）に示すように、一面球当接領域ｐ１と他面球当接領域ｐ２との相対位置が無端ベルト２０の幅方向に異なるように設定する。したがって、ガイドベース７０の配置の設定により、研磨布８０の長期使用を簡単に実現することができる。
【００４２】
ところで、上記第１実施形態の当接ローラー８８は、ローラー本体９１の外周面にのみ導電材９２で覆っていたが、本発明はこれに限定されない。例えば、ローラー本体９１の外周面だけではなく、ローラー本体９１の外周面からベアリング部９０に接触可能な箇所に亘って導電材９２を設けてもよい。また、導電材として、静電気防止材を塗布するようにしてもよい（以下、各変形例に同様に対応）。具体的には、図２１に示す当接ローラー８８の第１変形例のように、ローラー本体９１の外周面だけではなく側面も導電材９２で覆い、側面を被覆する導電材９２と金属製のベアリング部９０および回動軸８９とを導通させてもよい。導電材９２をローラー本体９１の外周面からベアリング部９０に接触可能な箇所に亘って設ければ、無端ベルト２０と当接ローラー８８の外周面との間で摩擦による静電気が発生したとしても、この静電気を導電材９２、ベアリング部９０、回動軸８９を介して筐体１６側へ逃がすことができる。この結果、当接ローラー８８の外周面が帯電し続ける不都合、ひいては当接ローラー８８の外周面に汚れやゴミが吸い寄せられる不都合を抑えることができる。
【００４３】
また、図２２に示す第２変形例のように、ローラー本体９１の外周面には導電材を設けず、その代わりに、ローラー本体９１の外周よりも拡径した鍔部９５をローラー本体９１の両端部（詳しくは、ローラー本体９１の幅方向の両端部）に備え、この鍔部９５の全体を金属メッキ処理して導電材９２で被覆し、この導電材９２と金属製のベアリング部９０および回動軸８９とを導通させてもよい。鍔部９５に導電材９２を備えた場合には、無端ベルト２０と当接ローラー８８の外周面との間で摩擦による静電気が発生したとしても、この静電気を鍔部９５の導電材９２、ベアリング部９０、回動軸８９を介して筐体１６側へ逃がすことができる。この結果、当接ローラー８８の外周面が帯電し続ける不都合、ひいては当接ローラー８８の外周面に汚れやゴミが吸い寄せられる不都合を抑えることができる。
【００４４】
また、図２３（ａ）に示すように、両側の鍔部９５の間隔を無端ベルト２０の幅とほぼ同じ寸法に設定して、鍔部９５と無端ベルト２０の側縁部とが接するように構成すれば、鍔部９５が無端ベルト２０の位置決めストッパーとして機能して蛇行を防ぐことができる。さらに、図２３（ｂ）に示すように、両側の鍔部９５の間隔を無端ベルト２０の幅よりも広く設定すれば、無端ベルト２０が大きく蛇行することを鍔部９５により防ぐことができる。しかも、蛇行していない正常な運転時において無端ベルト２０の側縁部と鍔部９５とが離れているので、無端ベルト２０の側縁部が擦れて摩耗してしまう不都合を避けることができる。なお、鍔部９５は、ローラー本体９１とは別個の円環状部材をローラー本体９１の側部に止着して構成されてもよい。また、ローラー本体９１に止着される鍔部９５は、合成樹脂製の円環状部材を金属メッキ処理により導電材（金属層）で被覆して構成してもよいし、あるいは、導電性を有する金属で円環状部材を形成して構成してもよい。
【００４５】
さらに、図２４および図２５に示すように、無端ベルト２０の外面の球挟持領域ＣＡ（挟持部材２９の球ガイド溝７５、または遊技球整列ガイド部材２８の誘導溝部４６に対向する無端帯状の領域）ＣＡに対応させて、ローラー本体９１の外周面の全体ではなく一部に導電材を備えてもよい。具体的には、図２４に示す第３変形例のように、ローラー本体９１の外周面に無端帯状の金属メッキ処理を施したり、あるいは、円環状の金属部材を嵌合したりして、ローラー本体９１の外周面のうち、無端ベルト２０の外面の球挟持領域ＣＡに対向し得る箇所にのみ導電材９２を備えてもよい。球挟持領域ＣＡに対向し得る箇所に導電材９２を備えれば、導電材９２の使用を限定しながらも、当接ローラー８８に汚れやゴミの付着を抑制することができる。
【００４６】
なお、図２５に示す第４変形例のように、ローラー本体９１の外周面のうち導電材９２が備えられていない箇所（言い換えると、球挟持領域ＣＡに対向し得ない箇所）を、導電材９２が備えられた箇所（言い換えると、球挟持領域ＣＡに対向し得る箇所）よりも縮径すれば、この縮径部において無端ベルト２０との接触を避けることができる。これにより、ローラー本体９１と無端ベルト２０との摩擦による静電気の発生を抑えることができ、当接ローラー８８の帯電、ひいては当接ローラー８８への汚れやゴミの付着を抑制することができる。
【００４７】
ところで、上記第１実施形態の遊技球整列ガイド部材２８では、ベース開口部６１を挿通不能な延設ストッパー部５２を流路形成延設部５１に突設し、延設ストッパー部５２をベース開口部６１の開口縁に係合して流路形成部材４７の移動範囲を規制したが、本発明はこれに限定されない。要は、流路形成部材４７が遊嵌可能な状態で装着されていれば、流路形成部材４７と整列ベース部材４８との係合機構はどのような構成を採用してもよい。例えば、図２６に示す遊技球整列ガイド部材の第１変形例（遊技球整列ガイド部材１００）では、延設ストッパー部５２を流路形成延設部５１の延設端から遊技球の移送方向とは反対方向へ突設し、ベース開口部６１を流路形成延設部５１および延設ストッパー部５２が挿通可能な大きさに設定し、延設ストッパー部５２をベース開口部６１の開口縁に係合可能としている。
【００４８】
そして、遊技球整列ガイド部材１００を組み立てるには、まず、複数のベース構成部材５４をベース係止具５７により係止して整列ベース部材４８を先に組み立て、組み立て後の整列ベース部材４８に流路形成部材４７を重ね合わせて延設ストッパー部５２および流路形成延設部５１をベース開口部６１へ挿入する。そして、図２６（ｂ）において点線で示すように、延設ストッパー部５２がベース開口部６１を通過して流路形成延設部５１がベース開口部６１に挿通したならば、この状態で流路形成部材４７を球移送方向とは反対方向（図２６（ｂ）中、延設ストッパー部５２に付した矢印の方向）へ移動する。すると、図２６（ｂ）において実線で示すように、延設ストッパー部５２がベース開口部６１の開口縁に係合可能となり、流路形成部材４７が遊嵌状態で整列ベース部材４８に取り付けられる。この遊嵌状態では、流路形成部材４７が無端ベルト２０側へ移動して延設ストッパー部５２がベース開口部６１の開口縁に係合すると、流路形成部材４７の無端ベルト２０側への移動が規制される。このように、第１変形例では、流路形成部材４７を球移送方向とは反対方向へ移動することで、流路形成部材４７を整列ベース部材４８へ係合することができ、遊技球整列ガイド部材１００を簡単に組み立てることができる。
【００４９】
なお、遊技球の移送中に流路形成部材４７が球移送方向へずれる虞がある場合には、図２６（ｂ）および（ｄ）に示すように、流路形成部材４７の端部（挟持部材２９側に位置する端部）から延設された遊嵌受部１０１に、整列ベース部材４８の端部（挟持部材２９側に位置する端部）に突設された遊嵌突起１０２を遊嵌し、遊嵌突起１０２の先端にストッパー１０３を止着する等して遊嵌突起１０２が遊嵌受部１０１から外れることを阻止することにより、流路形成部材４７の球移送方向への移動を規制するようにしてもよい。このとき、遊嵌受部１０１は、遊嵌突起１０２が無端ベルト２０に対して進退可能となる構成、例えば、無端ベルト２０側に向かって延在する長穴形状とすれば、流路形成部材４７の無端ベルト２０に対しての進退移動が遊嵌突起１０２によって阻止されることがない。
【００５０】
さらに、図２７に示す遊技球整列ガイド部材の第２変形例、および図２８に示す遊技球整列ガイド部材の第３変形例では、いずれも流路形成延設部およびベース開口部を設けず、その代わりに、整列ベース側壁５９の所定箇所（例えば、立設方向の中央部分）に開設された開口に流路形成部材４７の一部を係合している。また、流路形成部材４７が無端ベルト２０の幅方向へずれることを整列ベース側壁５９により規制している。具体的に説明すると、第２変形例である遊技球整列ガイド部材１０７では、図２７に示すように、整列ベース側壁５９に長穴形状の係合用開口１０８を無端ベルト２０側に向かって延在する状態で開設し、流路形成部材４７の側縁部（整列ベース側壁５９に対向する側縁部）から突設した流路形成係合部１０９を係合用開口１０８に係合（遊嵌）して、整列ベース部材４８に流路形成部材４７を遊嵌状態（詳しくは、無端ベルト２０に対して進退可能な遊嵌状態）で装着している。また、第３変形例である遊技球整列ガイド部材１１１では、図２８に示すように、整列ベース側壁５９に長穴形状の係合用開口１０８を無端ベルト２０側に向かって延在する状態で開設し、係合用開口１０８に遊嵌状態で挿通されたビス等の遊嵌具を流路形成係合部１１２として流路形成部材４７の側縁部（整列ベース側壁５９に対向する側縁部）へ止着し、この流路形成係合部１１２と係合用開口１０８との係合（遊嵌）により、整列ベース部材４８に流路形成部材４７を遊嵌状態（詳しくは、無端ベルト２０に対して進退可能な遊嵌状態）で装着している。このような構成の第２変形例および第３変形例では、整列ベース側壁５９を利用して流路形成部材４７を遊嵌状態で装着することができ、遊技球整列ガイド部材の設計の自由度を増すことができる。
【００５１】
さらに、図２９に示す遊技球整列ガイド部材の第４変形例では、流路形成延設部およびベース開口部を設けず、その代わりに、流路形成部材４７に開口を開設し、この開口を利用して流路形成部材４７を遊嵌状態で整列ベース部材４８へ装着している。具体的に説明すると、第４変形例である遊技球整列ガイド部材１１５は、図２９に示すように、流路形成部材４７の側部（整列ベース側壁５９側に位置する側部）に案内部挿通開口１１７を板厚方向に貫通し、係合用開口１０８に遊嵌状態で挿通されたピン等の進退移動案内部１１８の端部を整列ベース部材４８の取付面４８ａへ止着している。言い換えると、進退移動案内部１１８を取付面４８ａから無端ベルト２０側に向かって突設し、該進退移動案内部１１８を案内部挿通開口１１７へ挿通している。この流路形成係合部１１２の係合用開口１０８への係合（遊嵌）により、整列ベース部材４８に流路形成部材４７を遊嵌状態（詳しくは、無端ベルト２０に対して進退可能な遊嵌状態）で装着している。このような構成の第４変形例では、流路形成部材４７に係合用開口１０８を開設することにより流路形成部材４７を遊嵌状態で装着することができ、整列ベース部材４８の構成が複雑化することを抑制することができる。なお、進退移動案内部１１８は、整列ベース部材４８に止着される別個の部材であることに限らず、整列ベース部材４８に一体成形されたピンであってもよい。
【００５２】
また、上記した遊技球整列ガイド部材の第２変形例、第３変形例、第４変形例では、いずれも流路形成延設部、延設ストッパー部、ベース開口部を備えていないが、本発明はこれに限定されない。例えば、第２変形例、第３変形例、第４変形例の遊技球整列ガイド部材１０７，１１１，１１５に、第１実施形態または第１変形例における流路形成延設部５１、延設ストッパー部５２、ベース開口部６１を備えて、整列ベース部材４８に流路形成部材４７を遊嵌状態で装着してもよい。
【００５３】
ところで、上記した遊技球整列ガイド部材の第１実施形態および各変形例では、流路形成部材４７を遊嵌状態で整列ベース部材４８へ装着したが、本発明はこれに限定されない。例えば、図３０から図３２に示す第２実施形態における遊技球整列ガイド部材１２０は、基本的には第１実施形態と同じであるが、流路形成部材４７に流路形成延設部５１および延設ストッパー部５２を備えず、流路形成部材４７を押さえる構成を無端ベルト２０に対して進退可能な状態で備えた点で異なる。具体的に説明すると、第２実施形態における遊技球整列ガイド部材１２０の整列ベース部材１２１は、図３０から図３２に示すように、端部構成部材５４ａ′の整列ベース側壁５９に、流路形成部材４７のうち球移送方向に直交する幅方向の両端部を無端ベルト２０側から押さえる流路押さえ部１２２を備えている。また、図３０（ａ）に示すように、端部構成部材５４ａ′に開設される係止穴を無端ベルト２０側に向かって延在する長穴形状にして移動許容開口１２４とし、端部構成部材５４ａ′を移動許容開口１２４の長手方向に沿って移動することで、流路押さえ部１２２を無端ベルト２０に対して進退可能としている（図３１参照）。さらに、図３０（ｂ）に示すように、端部構成部材５４ａ′の付勢収納凹部６２に収納される流路付勢部材４９（端部流路付勢部材４９ａ）の長さを、他の付勢収納凹部６２に収納される流路付勢部材４９（内側流路付勢部材４９ｂ）よりも長く設定している。なお、図３０（ａ）においては、端部構成部材５４ａ′に隣り合うベース構成部材５４（接続構成部材５４ｃ）の係止穴５６についても、無端ベルト２０側に向かって延在する長穴形状にしているが、本発明はこれに限定されず、少なくとも端部構成部材５４ａ′の係止穴（移動許容開口１２４）が長穴形状であればよい。
【００５４】
このような構成の整列ベース部材１２１を備えた遊技球整列ガイド部材１２０においては、図３１（ａ）および図３２（ａ）に示すように、移動許容開口１２４の上縁部（無端ベルト２０側の縁部）に係止ボルト５７ａ（ベース係止具５７）を当接して、端部構成部材５４ａ′を無端ベルト２０から最も遠ざけた状態に設定すると、流路形成部材４７が流路付勢部材４９の付勢力により撓んで無端ベルト２０側に膨出し易くなり、流路形成部材４７と無端ベルト２０との間隔が中央側から流路押さえ部１２２側に向かうにつれて次第に広くなり易い。この結果、流路形成部材４７の流路押さえ部１２２側では無端ベルト２０との間で遊技球を十分に挟持できない虞がある。そこで、ベース係止具５７によるベース構成部材５４の締め付けを緩めると、移動許容開口１２４とベース係止具５７とが流路間隔調整手段として機能して、流路形成部材４７と無端ベルト２０との間隔を調整可能となる。そして、ベース構成部材５４の締め付けを緩めた状態で両側の端部構成部材５４ａ′を無端ベルト２０側へ押圧すると、図３１（ｂ）および図３２（ｂ）に示すように、ベース係止具５７を挿通した端部構成部材５４ａ′が移動許容開口１２４の長手方向に沿って移動して無端ベルト２０に近づき、移動許容開口１２４の下縁部が係止ボルト５７ａに当接したところで無端ベルト２０側への移動が規制される。この結果、流路押さえ部１２２により押さえられた流路形成部材４７の端部が無端ベルト２０に近づく。この状態でベース係止具５７によってベース構成部材５４を再び締め付けると、流路形成部材４７の流路押さえ部１２２側と無端ベルト２０との間隔が遊技球を十分に挟持可能な程度の狭さに設定される。なお、遊技球の挟持状態に応じて、図３２（ｃ）に示すように、片側の端部構成部材５４ａ′のみを移動して流路形成部材４７と無端ベルト２０との間隔を調整してもよい。
【００５５】
このように、第２実施形態における遊技球整列ガイド部材１２０では、端部構成部材５４ａ′に開設された移動許容開口１２４と、該移動許容開口１２４に遊嵌状態で挿通されるベース係止具５７とにより流路間隔調整手段を構成し、該流路間隔調整手段により流路形成部材４７と無端ベルト２０との間隔を調整可能としたので、流路形成部材４７と無端ベルト２０との間で遊技球を十分に挟持できるように調整することができる。したがって、遊技球揚送装置７の内部で遊技球が移送されずに残ってしまう不都合を抑えることができる。また、簡単な構成で流路形成部材４７と無端ベルト２０との間隔を調整可能とすることができる。さらに、端部構成部材５４ａ′を含む複数のベース構成部材５４がベース係止具５７を挿通して一体的に組み付けられているので、流路間隔調整手段を備えた遊技球整列ガイド部材１２０であったとしても、整列ベース部材１２１を組み付ける部品の数を少なく抑えることができる。
【００５６】
なお、第２実施形態における整列ベース部材１２１は、端部構成部材５４ａ′を含む複数のベース構成部材５４がベース係止具５７を挿通して一体的に組み付けられることに限定されない。例えば、図３３および図３４に示す第２実施形態の第１変形例のように、端部構成部材５４ａ′を係止する部材と、端部構成部材５４ａ′の間に位置するベース構成部材５４同士を組み付ける部材とを別個に構成してもよい。具体的に説明すると、第２実施形態の第１変形例である遊技球整列ガイド部材１２５の整列ベース部材１２６では、端部構成部材５４ａ′の間に挟まれるベース構成部材５４（接続構成部材５４ｃおよび中央構成部材５４ｂ）を並べ、連通した各係止穴５６にベース止着部材１２７を挿通して一体的に組み付けている。また、端部構成部材５４ａ′の移動許容開口１２４をベース止着部材１２７が重合しない箇所に開設し、該移動許容開口１２４に遊嵌状態で挿通されたベース係止具（係止ボルト）１２９の先端を接続構成部材５４ｃ（端部構成部材５４ａ′と隣り合うベース構成部材５４）へ係止して、端部構成部材５４ａ′を接続構成部材５４ｃへ止着している。
【００５７】
このような第２実施形態の第１変形例において流路形成部材４７と無端ベルト２０との間隔を調整するには、ベース止着部材１２７は緩めずにベース係止具１２９のみを緩める。すると、図３４に示すように、端部構成部材５４ａ′と接続構成部材５４ｃとの相対位置が調整可能となるが、端部構成部材５４ａ′の間に挟まれるベース構成部材５４同士の相対位置は、ベース止着部材１２７の止着により維持される。そして、端部構成部材５４ａ′の位置を調整したならば、ベース係止具１２９を再び締め付けて端部構成部材５４ａ′を接続構成部材５４ｃへ係止する。このように、端部構成部材５４ａ′の間に挟まれる複数のベース構成部材５４がベース係止具１２９とは別個のベース止着部材１２７を挿通して一体的に組み付けられれば、端部構成部材５４ａ′の位置調整時に、他のベース構成部材５４の組み付けが緩んでしまう不都合を避けることができる。
【００５８】
ところで、上記した遊技球整列ガイド部材の第２実施形態および第１変形例では、端部構成部材５４ａ′のみを無端ベルト２０に対して進退可能な状態で備えたが、本発明はこれに限定されない。例えば、図３５および図３６に示す第２実施形態の第２変形例である遊技球整列ガイド部材１３０では、基本的には第２実施形態の構成と同じであるが、各ベース構成部材５４に開設される係止穴の形状が異なる。具体的に説明すると、第２実施形態の第２変形例における遊技球整列ガイド部材１３０の整列ベース部材１３１では、図３５に示すように、各ベース構成部材５４（端部構成部材５４ａ′，中央構成部材５４ｂ′，接続構成部材５４ｃ′）の係止穴を無端ベルト２０側に向かって延在する長穴形状にして移動許容開口１３２とし、各ベース構成部材５４を移動許容開口１３２の長手方向に沿って移動可能としている。このような遊技球整列ガイド部材１２５においては、図３６に示すように、ベース構成部材５４を流路形成部材４７に近づけたり遠ざけたりすることで、該ベース構成部材５４と流路形成部材４７との間に配置された流路付勢部材４９の圧縮状態が調整される。これにより、流路付勢部材４９の付勢力、ひいては流路形成部材４７の撓み具合が変化して、流路形成部材４７と無端ベルト２０との間隙が調整可能となる。したがって、流路形成部材４７の幅方向の側部以外の場所であっても無端ベルト２０との間隙を調整することができる。
【００５９】
なお、図３７に示す第３変形例のように、整列ベース部材１３１の各ベース構成部材５４に移動許容開口１２４を開設せず、その代わりに、複数の係止穴１３３を流路形成部材４７からの離間距離が互いに異なる状態で開設し、ベース係止具５７を挿通する係止穴１３３を選択することにより、ベース構成部材５４を流路形成部材４７に近づけたり遠ざけたりして、流路付勢部材４９の付勢力を調整できるようにしてもよい。
【００６０】
さらに、第２実施形態の遊技球整列ガイド部材１２０においては、流路付勢部材４９を伸長または圧縮することにより流路付勢部材４９の付勢力を変化させる付勢力調整部材を本発明における流路間隔調整手段として備え、該付勢力調整部材の操作により流路付勢部材４９の付勢力を調整して、流路形成部材４７と無端ベルト２０との間隙を調整できるように構成してもよい。具体的に説明すると、第４変形例における遊技球整列ガイド部材１３６の整列ベース部材１３７では、図３８および図３９に示すように付勢収納凹部６２内に配置されて流路付勢部材４９の端部に係合する付勢係合部１４１と、整列ベース部材４８に外側から螺着されて先端が付勢係合部１４１に係合された付勢係合操作部１４２とから付勢力調整部材１４３を構成している。そして、付勢係合操作部１４２を回動操作することにより付勢係合部１４１を付勢収納凹部６２内で流路付勢部材４９の付勢方向に沿って移動して、流路形成部材４７と付勢係合部１４１との間に挟まれる流路付勢部材４９の長さを調整できるように構成されている。このような付勢力調整部材１４０を各付勢収納凹部６２に備えれば、流路付勢部材４９毎に付勢力の調整を行うことができ、流路形成部材４７と無端ベルト２０との間隔を細かく調整して遊技球を十分に挟持することができる。
【００６１】
また、図４０に示す第５変形例のように、流路付勢部材４９と流路形成部材４７との間に付勢係合部１４６を配置し、整列ベース部材１２１に外側から摺動可能な状態で挿通された付勢係合操作部１４７の先端を付勢係合部１４６へ螺着して付勢力調整部材１４８を構成してもよい。この第５変形例における付勢力調整部材１４８では、付勢係合操作部１４７のうち整列ベース部材１２１の外方に位置する操作ストッパー１４７aが整列ベース部材１２１の外側に係合し、この状態で付勢係合操作部１４７を回動操作することにより、付勢係合部１４６と付勢収納凹部６２との離間距離を変化させて流路付勢部材４９の長さ、すなわち流路付勢部材４９の付勢力を調整することができる。なお、第５変形例における付勢係合部１４６は、付勢収納凹部６２を覆う程度の大きさに設定されて流路付勢部材４９毎に１つずつ配置されれば、流路付勢部材４９毎に付勢力の調整を行うことができる。また、ベース構成部材５４の延在方向に沿って円弧板状に設定されて、同一のベース構成部材５４に形成された複数の付勢収納凹部６２を覆う状態で配置されれば、球移送方向に沿って並ぶ複数の流路付勢部材４９の付勢力を同時に調整可能な付勢力調整部材を実現することができる。
【００６２】
ところで、上記した球導入ガイド２４の第１実施形態においては、緩衝部材４３の上面（遊技球が落下する上面）を球導入ガイド２４の底部２４ａに沿って下り傾斜した平面で構成したが、本発明はこれに限定されない。例えば、緩衝部材４３の上面を遊技球の流れ方向に沿って下り傾斜した湾曲面で構成してもよい。具体的に説明すると、図４１に示す球導入ガイド２４の第１変形例では、緩衝部材４３の上面を下方に凹んだ湾曲面で構成し、該湾曲面を球導入ガイド２４の下り傾斜方向に沿って下り傾斜させている。また、図４２に示す球導入ガイド２４の第２変形例では、緩衝部材４３の上面を下方に凹んだ湾曲面で構成し、該湾曲面を流入樋４１側から球導入ガイド２４の幅方向（底部２４ａの傾斜方向とは直交する方向）の中央側に向かって下り傾斜させている。このようにして緩衝部材４３の上面を遊技球の流れ方向に沿って下り傾斜した湾曲面で構成すれば、遊技球が落下する際の衝撃が大きくなること、ひいては遊技球の衝突音が大きくなることを抑制することができる。なお、上記した湾曲面は、下方に凹んだ状態であることに限らず、上方へ膨出した状態に設定してもよい。
【００６３】
ところで、上記した球導入ガイド２４の第１実施形態および各変形例では、遊技球から受ける衝撃を緩和する緩衝手段として、球導入ガイド２４の底部２４ａに緩衝部材４３を装着したが、本発明はこれに限定されない。例えば、図４３に示す球導入ガイドの第２実施形態では、基本的には第１実施形態と同じ構造であるが、底部に緩衝部材を装着する代わりに、複数の棚状部材からなる緩衝手段を内部に設けた点で異なる。具体的に説明すると、図４３に示すように、第２実施形態の球導入ガイド１５４のうち導入球整列路３９（球整列壁３８）よりも上流側には、棚状の受入部１５５を球導入ガイド１５４の両側壁（流入樋４１側に立設された起立壁）１５４ａから球導入ガイド１５４の幅方向の中央側に向かって下り傾斜した状態でそれぞれ延設し、各球受入部１５５の間を遊技球が十分に通過可能な間隔で離間している。また、受入部１５５と球導入ガイド１５４の底部１５４ｂとの間には、棚状の流下部１５６を球導入ガイド１５４の両側壁１５４ａの間に亘って配置し、底部１５４ｂの傾斜方向に沿って下り傾斜させている。
【００６４】
このような構成の受入部１５５および流下部１５６を緩衝手段として備えた球導入ガイド１５４においては、流入樋４１から流下してきた遊技球を受入部１５５で受け、受入部１５５の傾斜下端側へ向けて流下させる。そして、遊技球が受入部１５５の傾斜下端から落下すると、この遊技球を流下部１５６で受け、流下部１５６の傾斜下端側へ流下させる。さらに、遊技球が流下部１５６の傾斜下端から落下すると、この遊技球を底部１５４ｂで受け、底部１５４ｂ上を転動させて導入球整列路３９へ到達させる。このようにして、流入樋４１から受け入れた遊技球を底部１５４ｂへ直接落下させず、流入樋４１から底部１５４ｂまでの落差を複数の棚状部材で区切り、この複数の棚状部材に次々と落下させながら底部１５４ｂへ到達させるので、遊技球が球導入ガイド１５４に与える衝撃を緩和することができる。
【００６５】
ところで、上記した球導入ガイドの各実施形態および各変形例では、球導入ガイドに緩衝手段として機能する構成を取り付けて遊技球から受ける衝撃を緩和するように構成したが、本発明はこれに限定されない。例えば、図４４に示す第３実施形態の球導入ガイド１６０では、底部１６０ａにスリット１６１を開設して緩衝手段を形成している。具体的に説明すると、球導入ガイド１６０の底部１６０ａのうち導入球整列路３９よりも傾斜上端側には、底部１６０ａの傾斜方向（言い換えると、球導入ガイド１６０が遊技球を誘導する方向）に沿って延在するスリット１６１を球導入ガイド１６０の幅方向に並ぶ状態（言い換えると、当該スリット１６１の延在方向とは直交する方向に並ぶ状態）で複数開設して、隣り合うスリット１６１の間に位置する板バネ状の球緩衝部１６２を球導入ガイド１６０の幅方向（言い換えると、球導入ガイド１６０が遊技球を誘導する方向とは直交する方向）に並ぶ状態で複数形成している。また、スリット１６１の幅を遊技球の直径よりも狭く設定して、遊技球が隣り合う球緩衝部１６２の間から球導入ガイド１６０の下方へ落下することを阻止している。このような球緩衝部１６２が形成された球導入ガイド１６０においては、流入樋４１から受け入れた遊技球が球緩衝部１６２に落下すると、遊技球に衝突された球緩衝部１６２が上下方向に撓み、この球緩衝部１６２の変形により遊技球から受ける衝撃を緩和することができる。したがって、スリット１６１を開設するだけで緩衝手段を備えた球導入ガイド１６０を簡単に実現することができる。また、流入樋４１からゴミ等の小さな異物が遊技球とともに球導入ガイド１６０に落下してきた場合には、この異物をスリット１６１へ通して球導入ガイド１６０の下方へ落下させることができる。
【００６６】
さらに、スリット１６１を底部１６０ａの傾斜上端まで開放して球緩衝部１６２の傾斜上端を上下方向に移動可能な自由端とすれば、球緩衝部１６２を撓み易く設定することができ、遊技球の衝撃を一層緩和し易い。また、図４５に示す第３実施形態の変形例のように、球緩衝部１６２の下方から緩衝ブラケット１６４を装着し、該緩衝ブラケット１６４の上面に突設された緩衝材１６５をスリット１６１へ嵌合すれば、スリット１６１上に遊技球が落下したとしても球導入ガイド１６０が遊技球から受ける衝撃を緩和することができる。なお、緩衝ブラケット１６４を球緩衝部１６２よりも変形し易い材質で構成すれば、球緩衝部１６２が緩衝ブラケット１６４により下方から覆われたとしても支障なく撓むことができて好適である。
【００６７】
なお、上述の緩衝手段を、遊技機設置用島設備１における所定の高低差を有する各所に設けるようにしてもよい。例えば、遊技球揚送装置７によって揚送された遊技球が流入する上部タンク８、さらに当該上部タンク８からの遊技球が流入する球補給樋１０や貯留用球供給流路１１、または球貯留タンク６等に設けてもよい。上述の各所とは、遊技球が所定の高低差をもって落下する各所ということであり、遊技機設置用島設備１においては、このような各所で遊技球の衝突音（騒音）が発生するため、上述の緩衝手段を設けることが好ましい。さらに、上述の流入樋４１には、遊技球が流下する過程でゴミや異物を除去するために、その底面に遊技球の流下方向に沿ったスリットが開設されていることがあるが、このスリットに、上述の緩衝材を嵌合する構成を採用すれば、流入樋４１における衝突音（騒音）を緩和することができる。
【００６８】
また、上記したいずれの球導入ガイド２４，１５４，１６０においても、図４６（ａ）および（ｂ）に示すように、導入球整列路３９を区画する球整列壁３８のうち上流側に位置する端部を、幅が次第に狭くなる先細り形状にすれば、遊技球が導入球整列路３９へ進入する前に球整列壁３８の端部へ衝突したとしても、球導入ガイド２４，１５４，１６０の上流側へ跳ね返されず、側方の導入球整列路３９へ誘導され易くなる。したがって、球導入ガイド２４，１５４，１６０内の遊技球を滞りなく導入球整列路３９へ誘導して整列させることができる。さらに、球整列壁３８の上流側の端部の先細り形状を調整すれば、球整列壁３８の上流側の端部を遊技球誘導部として機能させ、該遊技球誘導部に衝突することにより遊技球が複数の導入球整列路３９のうち特定の導入球整列路３９へ誘導され易くすることができる（図４６（ｂ）参照）。例えば、無端ベルト２０と流路形成部材４７との間で挟持が不十分な遊技球を、後続の遊技球からの押圧力により押し上げようとする場合には、球整列壁３８の端部形状を調整することにより、球導入ガイド２４，１５４，１６０内の遊技球を特定の導入球整列路３９（具体的には、挟持不十分の遊技球を整列させた導入球整列路３９）へ遊技球が優先的に集まるように設定してもよい（図４６（ｃ）参照）。
【００６９】
ところで、上記各実施形態では、図４７に示すように、整列ベース部材４８，１２１，１２６，１３１，１３７および流路形成部材４７を透光性部材（例えば透明な合成樹脂）で構成して、無端ベルト２０を遊技球整列ガイド部材２８，１００，１０７，１１１，１１５，１２０，１２５，１３０，１３６の外方から視認可能としてもよい。遊技球整列ガイド部材２８，１００，１０７，１１１，１１５，１２０，１２５，１３０，１３６を介して無端ベルト２０が視認できれば、無端ベルト２０の状態、例えば、無端ベルト２０の繋ぎ目付近に発生し易いひび割れＣＫ（図４７（ｂ）参照）や、無端ベルト２０の外面の汚れ具合（図４７（ｃ）において塗りつぶしで表現された部分を参照）を容易に確認することができ、無端ベルト２０の交換の要否を迅速に判断することができる。しかも、挟持部材２９を開放せずに無端ベルト２０を視認することができ、無端ベルト２０の点検作業を行い易くすることができる。なお、無端ベルト２０の内部を外面とは異なる色で着色すれば、無端ベルト２０のひび割れ箇所から着色された内部が露出して、ひび割れの発生を容易に把握することができて好適である。
【００７０】
また、無端ベルト２０のひび割れの有無の確認については、目視によって行うことに限定されない。ひび割れが発生した状態で無端ベルト２０を駆動し、遊技球がひび割れ箇所に当接した状態で遊技球整列ガイド部材１２０との間に挟まれると、遊技球が不安定になり、遊技球整列ガイド部材２８，１００，１０７，１１１，１１５，１２０，１２５，１３０，１３６が振動することがある。そこで、遊技球整列ガイド部材２８，１００，１０７，１１１，１１５，１２０，１２５，１３０，１３６に振動を検出可能なセンサや、振動に伴って発生する異音を検出可能なセンサを備え、センサからの出力に基づいて無端ベルト２０のひび割れの有無を把握できるようにしてもよい。
【００７１】
ところで、上記各実施形態では、本発明における研磨部材として研磨布８０を例示したが、本発明はこれに限定されない。要は、表裏両面に研磨面が形成され、挟持部材２９に張設可能であれば、布に限らずどのような材質の研磨部材であってもよい。例えば、遊技球の挟持に十分な強度を有する樹脂製シートを基材とした研磨部材を採用してもよい。
【００７２】
そして、上記実施形態では、代表的な遊技機であるパチンコ遊技機に使用する遊技球を遊技機揚送装置（遊技球移送装置）で移送したが、本発明はこれに限定されず、遊技球であればどのような遊技機に使用されるものを移送してもよい。例えば、封入球式パチンコ機に使用される遊技球やアレンジボール式遊技機に使用される遊技球やスロットマシン（所謂球スロ式遊技機）に使用される遊技球を遊技球移送装置で移送してもよい。
【００７３】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【符号の説明】
【００７４】
１  遊技機設置用島設備
７  遊技球揚送装置
１６  筐体
１７  下端ローラー
１８  上端ローラー
１９  駆動機構
２０  無端ベルト
２２  張力付与機構
２３  球入口
２４  球導入ガイド
２４ａ  底部
２８  遊技球整列ガイド部材
２９  挟持部材
４３  緩衝部材
４６  誘導溝部
４７  流路形成部材
４８  整列ベース部材
４８ａ  取付面
４９  流路付勢部材
５１  流路形成延設部
５２  延設ストッパー部
５４  ベース構成部材
５４ａ，５４ａ′  端部構成部材
５４ｂ，５４ｂ′  中央構成部材
５４ｃ，５４ｃ′  接続構成部材
５６  係止穴
５７  ベース係止具
５９  整列ベース側壁
６１  ベース開口部
６２  付勢収納凹部
６６  挟持ベース
６８  ベース側縁部
６９  ガイド保持部
７０  ガイドベース
７１  挟持付勢部材
７５  球ガイド溝
８０  研磨布
８０ａ  一の研磨面
８０ｂ  他の研磨面
８４  研磨縁挿入溝部
８８  当接ローラー
８９  回動軸
９０  ベアリング部
９１  ローラー本体
９２  導電材
９５  鍔部
１００  遊技球整列ガイド部材
１０７  遊技球整列ガイド部材
１０８  係合用開口
１０９  流路形成係合部
１１１  遊技球整列ガイド部材
１１２  流路形成係合部
１１５  遊技球整列ガイド部材
１１７  案内部挿通開口
１１８  進退移動案内部
１２０  遊技球整列ガイド部材
１２１  整列ベース部材
１２２  流路押さえ部
１２４  移動許容開口
１２５  遊技球整列ガイド部材
１２６  整列ベース部材
１２７  ベース止着部材
１２９  ベース係止具
１３０  遊技球整列ガイド部材
１３１  整列ベース部材
１３２  移動許容開口
１３６  遊技球整列ガイド部材
１３７  整列ベース部材
１４１  付勢係合部
１４２  付勢係合操作部
１４３  付勢力調整部材
１４６  付勢係合部
１４７  付勢係合操作部
１４８  付勢力調整部材
１５４  球導入ガイド
１５５  受入部
１５６  流下部
１６０  球導入ガイド
１６１  スリット
１６２  球緩衝部
１６５  緩衝材
【図１】
2014204886.tif 000003
【図２】
2014204886.tif 000004
【図３】
2014204886.tif 000005
【図４】
2014204886.tif 000006
【図５】
2014204886.tif 000007
【図６】
2014204886.tif 000008
【図７】
2014204886.tif 000009
【図８】
2014204886.tif 000010
【図９】
2014204886.tif 000011
【図１０】
2014204886.tif 000012
【図１１】
2014204886.tif 000013
【図１２】
2014204886.tif 000014
【図１３】
2014204886.tif 000015
【図１４】
2014204886.tif 000016
【図１５】
2014204886.tif 000017
【図１６】
2014204886.tif 000018
【図１７】
2014204886.tif 000019
【図１８】
2014204886.tif 000020
【図１９】
2014204886.tif 000021
【図２０】
2014204886.tif 000022
【図２１】
2014204886.tif 000023
【図２２】
2014204886.tif 000024
【図２３】
2014204886.tif 000025
【図２４】
2014204886.tif 000026
【図２５】
2014204886.tif 000027
【図２６】
2014204886.tif 000028
【図２７】
2014204886.tif 000029
【図２８】
2014204886.tif 000030
【図２９】
2014204886.tif 000031
【図３０】
2014204886.tif 000032
【図３１】
2014204886.tif 000033
【図３２】
2014204886.tif 000034
【図３３】
2014204886.tif 000035
【図３４】
2014204886.tif 000036
【図３５】
2014204886.tif 000037
【図３６】
2014204886.tif 000038
【図３７】
2014204886.tif 000039
【図３８】
2014204886.tif 000040
【図３９】
2014204886.tif 000041
【図４０】
2014204886.tif 000042
【図４１】
2014204886.tif 000043
【図４２】
2014204886.tif 000044
【図４３】
2014204886.tif 000045
【図４４】
2014204886.tif 000046
【図４５】
2014204886.tif 000047
【図４６】
2014204886.tif 000048
【図４７】
2014204886.tif 000049